(57)【要約】【課題】操作性をより向上させ、かつ適切に情報を表示させることができる情報表示装置を提供すること。【解決手段】情報表示装置１００に第１情報表示部１１０、第２情報表示部１２０、入力操作部１３０を設ける。第１情報表示部１１０に広域地図を表示し、第２情報表示部１２０に第１情報表示部１１０に表示された広域地図の一部を拡大表示した詳細地図を表示する。また、第１情報表示部１１０および第２情報表示部１２０の表示領域を移動させる操作キーを別々に割り当てる。従って、第１情報表示部１１０と第２情報表示部１２０に表示されたそれぞれの情報に対する個々の操作、例えば、個別の表示領域の移動が可能となる。これによりユーザの操作性（利便性）を向上させることができる。【選択図】図２
2007140826.tif 000002
【特許請求の範囲】
【請求項１】
第１の情報を表示する第１の情報表示部と、
前記第１の情報に関連する第２の情報を表示する第２の情報表示部と、
前記第１の情報表示部を操作する第１の操作手段と、
前記第１の操作手段と別に設けられた、前記第２の情報表示部を操作する第２の操作手段と、
を備えることを特徴とする情報表示装置。
【請求項２】
前記第１の操作手段は、前記第１の情報表示部に表示される表示領域を移動させ、
前記第２の操作手段は、前記第２の情報表示部に表示される表示領域を移動させることを特徴とする請求項１記載の情報表示装置。
【請求項３】
前記第１の操作手段および前記第２の操作手段は、特定の操作機能を任意に割り当て可能な操作キーから構成されていることを特徴とする請求項１または請求項２記載の情報表示装置。
【請求項４】
前記第１の操作手段に割り当てられている操作キーと、前記第２の操作手段に割り当てられている操作キーとを切り替える切替手段を備えたことを特徴とする請求項１、請求項２または請求項３記載の情報表示装置。
【請求項５】
前記第１の情報表示部および前記第２の情報表示部を同一画面上に表示することを特徴とする請求項１から請求項４のいずれか一の請求項に記載の情報表示装置。
【請求項６】
前記第１の操作手段および前記第２の操作手段は、有効化／無効化を任意に設定可能であることを特徴とする請求項１から請求項５のいずれか一の請求項に記載の情報表示装置。
【請求項７】
前記第１の情報は、複数の項目を示したリストであり、
前記第２の情報は、前記リストの各項目の詳細情報であることを特徴とする請求項１から請求項６のいずれか一の請求項に記載の情報表示装置。
【請求項８】
前記第１の情報および前記第２の情報が文書情報である場合、
前記第１の情報は、複数の文書の要約を項目として示したリストであることを特徴とする請求項７記載の情報表示装置。
【請求項９】
前記第１の情報は、画像情報であり、
前記第２の情報は、前記画像情報の特定領域の拡大画像または縮小画像であることを特徴とする請求項１から請求項６のいずれか一の請求項に記載の情報表示装置。
【発明の詳細な説明】
【技術分野】
【０００１】
本発明は、特定の情報を表示出力する情報表示装置に関する。
【背景技術】
【０００２】
インターネットなどのネットワークを利用して様々な情報（例えば、文字データや地図データなど）を取得し、これらの情報を携帯電話や携帯端末装置などのディスプレイに表示し、ユーザに閲覧可能にさせる情報表示装置が実用化されている。
ところで、携帯電話や携帯端末装置などは、ユーザの携帯時における利便性を考慮して、本体装置自体が小さく構成されている。そのため、出力装置であるディスプレイも、その表示画面サイズが制約されてしまっている。
従来、このような小さいサイズのディスプレイを介して情報を表示する際の表示処理をより向上させるための技術が下記の特許文献をはじめ種々提案されている。
【０００３】
【特許文献１】特開平７−２７０１７２号公報
【特許文献２】特開２００３−１９６２０９公報
【特許文献３】特開２００２−２３９１１公報
【０００４】
特許文献１には、地図メモリに格納された地図を単独で、または車両の現在位置とともに表示するように表示画面のメインウィンドウと、メインウィンドウに表示されている地図を含む周辺の縮小地図を表示する表示画面のサブウィンドウとを同時表示する技術が提案されている。
また、特許文献２には、一定の文字数を越えるメッセージを携帯通信端末の表示部に表示する際に簡略化したメッセージを表示する技術が提案されている。なお、簡略化したメッセージは、例えば、先頭の一定の文字数のメッセージにおけるやメッセージの要約によって構成されている。
さらに、特許文献３には、表示装置に表示されている画面に補助番号付きメッシュを入れ，メッシュ番号を音声入力またはキーボード等から入力することにより，そのメッシュを中心として画面を拡大または縮小して再表示する技術が提案されている。
【発明の開示】
【発明が解決しようとする課題】
【０００５】
しかしながら、特許文献１に提案されている技術では、メインウィンドウとサブウィンドウが連動しているため、メインウィンドウと、サブウィンドウとをそれぞれ別々に操作することができなかった。
また、特許文献２に提案されている技術では、メッセージ原文を見るために、簡略したメッセージと置き換え表示するので、表示画面に簡略したメッセージとメッセージの原文が混在するため視認性が悪くなるおそれがあった。
さらに、特許文献３に提案されている技術では、画面を画面サイズまで拡大することはできるが、内容を確実に理解できる保障はなされていなかった。
【０００６】
そこで、本発明は、操作性をより向上させ、かつ適切に情報を表示させることができる情報表示装置を提供することを目的とする。
【課題を解決するための手段】
【０００７】
請求項１記載の発明では、第１の情報を表示する第１の情報表示部と、前記第１の情報に関連する第２の情報を表示する第２の情報表示部と、前記第１の情報表示部を操作する第１の操作手段と、前記第１の操作手段と別に設けられた、前記第２の情報表示部を操作する第２の操作手段と、を備えることことにより前記目的を達成する。
請求項２記載の発明は、請求項１記載の情報表示装置において、前記第１の操作手段は、前記第１の情報表示部に表示される表示領域を移動させ、  前記第２の操作手段は、前記第２の情報表示部に表示される表示領域を移動させることを特徴とする。
【０００８】
請求項３記載の発明は、請求項１または請求項２記載の情報表示装置において、前記第１の操作手段および前記第２の操作手段は、特定の操作機能を任意に割り当て可能な操作キーから構成されていることを特徴とする。
請求項４記載の発明では、請求項１、請求項２または請求項３記載の情報表示装置において、前記第１の操作手段に割り当てられている操作キーと、前記第２の操作手段に割り当てられている操作キーとを切り替える切替手段を備えたことを特徴とする。
請求項５記載の発明では、請求項１から請求項４のいずれか一の請求項に記載の情報表示装置において、前記第１の情報表示部および前記第２の情報表示部を同一画面上に表示することを特徴とする。
【０００９】
請求項６記載の発明では、請求項１から請求項５のいずれか一の請求項に記載の情報表示装置において、前記第１の操作手段および前記第２の操作手段は、有効化／無効化を任意に設定可能であることを特徴とする。
請求項７記載の発明では、請求項１から請求項６のいずれか一の請求項に記載の情報表示装置において、前記第１の情報は、複数の項目を示したリストであり、前記第２の情報は、前記リストの各項目の詳細情報であることを特徴とする。
【００１０】
請求項８記載の発明では、請求項７記載の情報表示装置において、前記第１の情報および前記第２の情報が文書情報である場合、前記第１の情報は、複数の文書の要約を項目として示したリストであることを特徴とする。
請求項９記載の発明では、請求項１から請求項６のいずれか一の請求項に記載の情報表示装置において、前記第１の情報は、画像情報であり、前記第２の情報は、前記画像情報の特定領域の拡大画像または縮小画像であることを特徴とする。
【発明の効果】
【００１１】
請求項１記載の発明によれば、第１の操作手段と別に、第２の情報表示部を操作する第２の操作手段を設けることにより、第１の情報表示部と第２の情報表示部に表示されたそれぞれの情報に対する個々の操作が可能となる。
請求項２記載の発明によれば、第１および第２の操作手段により、第１および第２の情報表示部の表示領域を移動させることにより、第１の情報表示部と第２の情報表示部に表示されたそれぞれの情報に対する個別の表示領域の移動ができる。
【００１２】
請求項３記載の発明によれば、第１および第２の操作手段を、特定の操作機能を任意に割り当て可能な操作キーで構成することにより、操作性を考慮した操作キーの設定ができる。
請求項４記載の発明によれば、第１の操作手段に割り当てられている操作キーと、第２の操作手段に割り当てられている操作キーとを切り替える切替手段を設けることにより、容易に操作キーを切り替えることができる。
請求項５記載の発明によれば、第１の情報表示部および第２の情報表示部を同一画面上に表示することにより、操作者は適切に情報を閲覧できる。
請求項６記載の発明によれば、第１および第２の操作手段の有効化／無効化を任意に設定可能とすることにより、操作者の利便性をより向上させることができる。
【００１３】
請求項７記載の発明によれば、複数の項目を示したリスト、およびリストの各項目の詳細情報を表示することにより、見やすい表示方式で情報を表示することができる。
請求項８記載の発明によれば、情報が文書情報である場合、複数の文書の要約を項目として示したリストを第１の情報として表示することにより、操作者は所望する情報を適切に認識することができる。
請求項９記載の発明によれば、第２の情報表示部に、画像情報の特定領域の拡大画像または縮小画像を表示することにより、操作者は、効率的に情報を把握することができる。
【発明を実施するための最良の形態】
【００１４】
以下、本発明の好適な実施の形態を図１〜図３を参照して詳細に説明する。
図１は、本実施の形態に係る情報表示装置１００の概略構成を示した図である。
本実施の形態に係る情報表示装置１００は、情報を表示させる機能を有するコンピュータであり、例えば、携帯電話やＰＤＡ（携帯情報端末）によって構成されている。
なお、情報表示装置１００には、入力装置、出力装置、演算装置、制御装置、記憶装置が備えられている。
図に示すように、情報表示装置１００は、第１情報表示部１１０、第２情報表示部１２０、入力操作部１３０を備えている。
【００１５】
第１情報表示部１１０は、メイン情報（第１の情報）を表示させるための出力部であり、例えば、液晶ディスプレイによって構成されている。
第２情報表示部１２０は、サブ情報（第２の情報）、即ち、詳細情報を表示させるための出力部である。
なお、本実施の形態では、第２情報表示部１２０は、第１情報表示部１１０にオーバーレイさせて（重ねて）情報を表示するように構成されているが、第２情報表示部１２０の表示方法は、これに限定されるものではない。例えば、第２情報表示部１２０を第１情報表示部１１０の左右（上下）に並べて表示するようにしてもよい。
【００１６】
入力操作部１３０は、図１に示すように、方向キー１３１、数字キー１３２が設けられている。
方向キー１３１は、十字型の入力キーであり、例えば、表示されているカーソルの位置や、表示されている情報の位置を変更する際の入力装置として機能する。
また、数字キー１３２（テンキー）は、「０〜９」の数字や「＊」「♯」などの記号のキーから構成されている。この数字キー１３２は、予め各数字に特定の方向を割り当てておくことにより、方向キー１３１と同様の操作を可能にする機能が搭載されている。
なお、入力操作部１３０の構成要素は、方向キー１３１および数字キー１３２に限定されるものではなく、例えば、キャンセルキーやファンクションキーなどを備えるようにしてもよい。
【００１７】
次に、本実施の形態に係る情報表示装置１００における情報画像の表示形態、および表示画面の操作方法について説明する。
図２は、情報表示装置１００の第１情報表示部１１０および第２情報表示部１２０における情報の表示例を示した図である。
図２に示す表示例では、２種類の縮尺の地図を同一画面（ディスプレイ）内の第１情報表示部１１０および第２情報表示部１２０に同時に表示させている。
詳しくは、第１情報表示部１１０に広域地図を表示し、第２情報表示部１２０に広域地図（第１情報表示部１１０に表示された）の一部を拡大表示した詳細地図を表示するように構成されている。
【００１８】
そして、本実施の形態に係る情報表示装置１００では、第１情報表示部１１０を操作するキーと、第２情報表示部１２０を操作するキーとがそれぞれ別々に設定されている。
詳しくは、第１情報表示部１１０を操作するキー（操作部）として、数字キー１３２を割り当て、一方、第２情報表示部１２０を操作するキー（操作部）として方向キー１３１を割り当てている。
即ち、本実施の形態に係る情報表示装置１００では、、第１情報表示部１１０と第２情報表示部１２０を操作する入力部がそれぞれ独立した状態で設けられている。
なお、本実施の形態では、数字キー１３２における「２」「４」「６」「８」に、それぞれ方向を示す「上」「左」「右」「下」が割り当てられており、該当する数字キー１３２を押下することにより、所定の方向への画面操作ができるように構成されている。
【００１９】
図２に示すように、本実施の形態に係る情報表示装置１００では、第１情報表示部１１０の中枠の拡大地図を第２情報表示部１２０に表示するよう構成されている。
そして、図２の状態１に示すように、第２情報表示部１２０に表示される地図画像（拡大地図画像）は、方向キー１３１（左キー、右キー、上キー、下キー）を操作することによって動かす、つまり、表示画面を変更することができる。また、第２情報表示部１２０に表示される地図画像の移動（変更）に伴い、第１情報表示部１１０の中枠の表示も動くように構成されている。
【００２０】
また、図２の状態１に示すように、第１情報表示部１１０の地図画像は、数字キー１３２、詳しくは、方向を示す「上」「左」「右」「下」が割り当てられた数字キー１３２における「２」「４」「６」「８」を操作することによって動かす、つまり表示画面を変更することができる。また、第１情報表示部１１０に表示される地図画像の移動（変更）に伴い、第２情報表示部１２０に表示される領域を示す中枠も動くように構成されている。但し、この場合、第２情報表示部１２０に表示される地図画像は変化しない。
【００２１】
このように、本実施の形態に係る情報表示装置１００では、第１情報表示部１１０における画面操作を可能にする操作キーと、第２情報表示部１２０における画面操作を可能にする操作キーとが別々に独立した操作キーで構成されている。
従って、第１情報表示部１１０と第２情報表示部１２０に表示されたそれぞれの情報に対する個々の操作、例えば、個別に表示領域の移動が可能となる。
【００２２】
また、本実施形態に係る情報表示装置１００では、任意に指定したキー（切替キー）を操作（押下）することで、第１情報表示部１１０の操作用に割り当てられている操作キーと、第２情報表示部１２０の操作に割り当てられている操作キーとを切り替える（図２の状態１から状態２へ切り替える）ことができるよう構成されている。
このような操作キーの切替を可能にすることにより、ユーザ（操作者）の操作性のよい（使い勝手のよい）操作キーの割り当てを任意に切り替えることができる。これによってユーザの利便性を向上させることができる。
【００２３】
（変形例）
次に、本実施の形態に係る情報表示装置１００の使用方法の変形例について説明する。
上述した実施形態では、第１情報表示部１１０および第２情報表示部１２０に地図画像を表示する例について説明した。
次に示す変形例では、情報表示装置１００において、文書の要約情報と詳細情報とを表示するものであり、詳しくは、第１情報表示部１１０に複数の文書のそれぞれの要約情報を上下にリストとして表示し、第２情報表示部１２０にその文書の詳細情報を表示するよう構成されている。
【００２４】
図３は、情報表示装置１００の第１情報表示部１１０および第２情報表示部１２０における情報の表示例を示した図である（変形例）。
図３に示す表示例では、第１情報表示部１１０のリストを方向キー１３１の上下キーで選択（図３では状態１−１で示すように「４」を選択）し、方向キー１３１の左右キーを押すと、それに対応した詳細情報を第２情報表示部１２０に表示するよう構成されている。
なお、これらの操作キーはユーザが任意に設定可能であり、以後の操作キーも同様に任意に設定可能である。
【００２５】
また、第２情報表示部１２０において、選択指定された文書の詳細情報が画面内に収まらなかった場合（表示しきれなかった場合）、図３の状態２−１、状態２−２に示すように、第２情報表示部１２０を複数ページに渡って表示し、方向キー１３１の左右キーでページ送りができるよう構成されている。
なお、変形例に示す情報表示装置１００では、第２情報表示部１２０におけるページ送りの最中であっても、方向キー１３１の上下キーによりリストの選択が直接できるよう構成されている。
例えば、図３の状態２−１や状態２−２に示す状態からでも、方向キー１３１の上下キーを操作することにより、図３の状態１−２、状態１−３に示すような、第１情報表示部１１０の表示へ切り替えることができる。
【００２６】
図３に示す変形例では、文書の要約情報と詳細情報をそれぞれ第１情報表示部１１０および第２情報表示部１２０に表示させるように構成されている。しかし、第１情報表示部１１０に表示させる情報は、これに限定されるものではなく、例えば、要約情報のリストの代わりに、文書の冒頭（先頭）の一部分のリストを表示させ、詳細情報の代わりに全文書（部分文書）を表示するように構成してもよい。
なお、このように情報を表示する際、第１情報表示部１１０の文書リストで選択された文書が画面サイズに対して十分に短く、第１情報表示部１１０、即ち文書リスト上で全文書を表示できる場合は、第２情報表示部１２０の操作部を無効にするよう構成することもできる。
その他、例えば、要約情報のリストの代わりに、画像を部分的に（もしくは縮小して）表示させ、詳細情報の代わりに元の画像を表示するよう構成することもできる。
【００２７】
上述したように、本実施の形態では、メイン情報を表示する第１情報表示部１１０と、メイン情報に関連するサブ情報を表示する第２情報表示部１２０と、第１情報表示部１１０および第２情報表示部１２０の操作をそれぞれ独立して割り当てられた操作キーを備えた入力操作部１３０を備えることにより、例えば、第１情報表示部１１０および第２情報表示部１２０の表示領域を移動させる操作キーを別々に割り当てるように情報表示装置１００を構成することができる。
これにより、第１情報表示部１１０と第２情報表示部１２０に表示されたそれぞれの情報に対する個々の操作、例えば、個別の表示領域の移動が可能となる。
【００２８】
入力操作部１３０を各種機能が割り当てられた複数のキー（ボタン）で構成し、第１情報表示部１１０および第２情報表示部１２０を操作する操作キーの機能の割り当てを任意に変更可能とすることにより、また、第１情報表示部１１０の操作用に割り当てられた操作キーと、第２情報表示部１２０の操作用に割り当てられた操作キーとの切り替えを専用キー（切替キー）の操作で可能とすることにより、ユーザの操作性（利便性）を向上させることができる。
なお、専用キー（切替キー）の設定は、ユーザが任意に行うことができるように構成されている
【００２９】
第１情報表示部１１０および第２情報表示部１２０を同一画面内に設けることにより、例えば、表示画面（ディスプレイ）が１つしか設けられていないような情報表示装置１００であっても本実施の形態における情報表示技術を適用することが可能となる。
また、第１情報表示部１１０のみで十分に情報を表示できる場合など、第２情報表示部１２０が不要である場合に、第２情報表示部１２０の操作キーを無効とする設定を行うことにより、操作キーの誤操作を抑制することができる。
【００３０】
本実施の形態に係る情報表示装置１００では、第２情報表示部１２０において情報が表示されているときであっても、第１情報表示部１１０の操作を有効とすることによって、つまり、第１情報表示部１１０が画面内に表示されていない場合であっても、第１情報表示部１１０の操作を常に有効とすることにより、ユーザが第２情報表示部１２０を操作している場合であっても、第１情報表示部１１０に遷移することなく第１情報表示部１１０を操作することが可能となる。
本実施の形態に係る情報表示装置１００は、第２情報表示部１２０に情報が表示されている時のみ、第２情報表示部１２０の操作キーを有効となるように設定することができるように構成されている。これにより、操作キーの誤操作を抑制することができる。
【００３１】
上述した変形例に示すように、第１情報表示部１１０に文書の要約情報を示し、第２情報表示部１２０に要約の詳細情報を表示させることにより、全文書を一画面内で表示できないサイズの文書情報であっても、適切に表示させることができる。
これにより、操作者は、見やすい表示方式で文書を閲覧することができ、効率的に情報を把握することができる。
このように、第１情報表示部１１０において複数の情報をリストとして表示し、選択されたリストの項目に関する詳細情報を第２情報表示部１２０に表示させることにより、操作者（ユーザ）は、所望する情報を適切に閲覧することができる。
【００３２】
上述した本実施の形態に示すように、第１情報表示部１１０に画像（詳しくは、地図画像）を示し、第２情報表示部１２０に選択された領域の拡大画像（または第１情報表示部１１０に表示された領域を含む縮小画像）を表示させることにより、全文書を一画面内で表示できない画像であっても、適切に表示させることができる。
これにより、操作者は、見やすい表示方式（縮小画像や拡大画像）で画像を閲覧することができ、効率的に情報を把握することができる。
【図面の簡単な説明】
【００３３】
【図１】本実施の形態に係る情報表示装置の概略構成を示した図である。
【図２】情報表示装置の第１情報表示部および第２情報表示部における情報の表示例を示した図である。
【図３】情報表示装置の第１情報表示部および第２情報表示部における情報の表示例を示した図である（変形例）。
【符号の説明】
【００３４】
１００  情報表示装置
１１０  第１情報表示部
１２０  第２情報表示部
１３０  入力操作部
１３１  方向キー
１３２  数字キー
【図１】
2007140826.tif 000003
【図２】
2007140826.tif 000004
【図３】
2007140826.tif 000005